(57)【要約】      （修正有）【課題】共用磁石を具えたデュアル周波数同軸イヤホンを提供する。【解決手段】共用環形磁石２１が外ヨーク１のキャップと内ヨーク２２の外周ディスク２２２の間に置かれ、外ヨークと内ヨークが異なる磁性を有する。また低周波ボイスコイル２３が軸方向に外ヨークの環内壁１１２と内ヨークの外周ディスクの間に延伸され、低音音波部を形成し、別に内ヨークの内軸管２２１が外ヨークの中央孔１１１内に延伸され、高周波ボイスコイルが軸方向に外ヨークの中央孔と内ヨークの内軸管の間に延伸されて、高音音波部を形成する。該内軸管に中央穿孔が穿たれて導音管とされ、ゆえに高音音波部の音波が内軸管を通り低音音波部の低周波振動膜を同期してイネーブルし、並びに低音音波部と同相で同期する音波出力を形成し、有効にひずみ問題を解決し、且つ体積の小型化を達成する。【選択図】図３
0003147185.tif 000002
【実用新案登録請求の範囲】
【請求項１】
共用磁石を具えたデュアル周波数同軸イヤホンにおいて、
内部に収容空間を具えたケーシングと、
キャップ状を呈し、該ケーシングの該収容空間内に取付けられ、キャップ部及びリム部を包含し、該リム部が該キャップ部の外周縁に繞設され、該キャップ部が上板及び環内壁を具え、該上板に中央孔が開設された外ヨークと、
該外ヨークの該上板の内面に取付けられ、該外ヨークの該中央孔に同軸上で対応する中心孔を具えた共用環形磁石と、
フランジ状を呈し、内軸管及び外周ディスクを具え、該外周ディスクが該内軸管の外周縁に繞設され、該外周ディスにより該共用環形磁石に取付けられ並びに該外ヨークの対向側に位置し、該外周ディスクが該外ヨークの該環内壁より小さく、該内軸管が該外ヨークの該中央孔より小さく、該内軸管が該共用環形磁石の該中心孔と該外ヨークの該中央孔に進入し、該内軸管の中央に中央穿孔が穿たれた内ヨークと、
低周波ボイスコイル、低周波振動膜を包含し、該低周波ボイスコイルが該低周波振動膜に組み付けられ並びに軸方向に該外ヨークの該環内壁と該内ヨークの該外周ディスクの間に延伸され、該低周波ボイスコイルと該環内壁、及び該外周ディスクの間に径方向間隙が保持され、該低周波振動膜の外周が該外ヨークの該リム部に組み付けられた低音音波部と、
高周波ボイスコイル、高周波振動膜を包含し、該高周波ボイスコイルが該高周波振動膜に組み付けられ並びに軸方向に該外ヨークの該中央孔と該内ヨークの該内軸管の間に延伸され、該高周波ボイスコイルと該中央孔、及び該内軸管の間に別の径方向間隙が保持され、該高周波振動膜の外周が該外ヨークの該キャップ部に組み付けられた高音音波部と、
を包含したことを特徴とする、共用磁石を具えたデュアル周波数同軸イヤホン。
【請求項２】
請求項１記載の共用磁石を具えたデュアル周波数同軸イヤホンにおいて、該低音音波部が更に導音錐を包含し、該導音錐が該内ヨークの該外周ディスクに組み付けられ、該導音錐の中央に導音孔が開設され、該導音孔が同軸上で該内軸管の該中央穿孔に対応し連通することを特徴とする、共用磁石を具えたデュアル周波数同軸イヤホン。
【請求項３】
請求項１記載の共用磁石を具えたデュアル周波数同軸イヤホンにおいて、周波数分割回路を具えた回路板を更に具えたことを特徴とする、共用磁石を具えたデュアル周波数同軸イヤホン。
【請求項４】
請求項１記載の共用磁石を具えたデュアル周波数同軸イヤホンにおいて、該外ヨークが更に複数の気孔を具え、該複数の気孔は該リム部の周縁に開設されたことを特徴とする、共用磁石を具えたデュアル周波数同軸イヤホン。
【請求項５】
請求項１記載の共用磁石を具えたデュアル周波数同軸イヤホンにおいて、該低周波振動膜が内凹環と外凹環を包含し、該低周波ボイスコイルが該内凹環部分に組み付けられ、該外凹環が該外ヨークの該キャップ部に組み付けられたことを特徴とする、共用磁石を具えたデュアル周波数同軸イヤホン。
【請求項６】
請求項１記載の共用磁石を具えたデュアル周波数同軸イヤホンにおいて、該高周波振動膜が内凹環と外凹環を包含し、該高周波ボイスコイルが該高周波振動膜の該内凹環部分に組み付けられ、該高周波振動膜の外凹環が該外ヨークの該キャップ部に組み付けられたことを特徴とする、共用磁石を具えたデュアル周波数同軸イヤホン。
【請求項７】
請求項１記載の共用磁石を具えたデュアル周波数同軸イヤホンにおいて、該低音音波部が更に固定環を包含し、該高音音波部が更に別の固定環を包含し、該低音音波部の固定環が該外ヨークのリム部に組み付けられ、該高音音波部の固定環が該外ヨークのキャップ部に組み付けられたことを特徴とする、共用磁石を具えたデュアル周波数同軸イヤホン。
【請求項８】
請求項１記載の共用磁石を具えたデュアル周波数同軸イヤホンにおいて、該ケーシングがイヤープラグを包含し、該イヤープラグが該ケーシングより径方向に延伸されたことを特徴とする、共用磁石を具えたデュアル周波数同軸イヤホン。
【請求項９】
請求項１記載の共用磁石を具えたデュアル周波数同軸イヤホンにおいて、該ケーシングがイヤーカバーを包含し、該イヤーカバーが該ケーシングより軸方向に延伸されたことを特徴とする、共用磁石を具えたデュアル周波数同軸イヤホン。
【請求項１０】
請求項１記載の共用磁石を具えたデュアル周波数同軸イヤホンにおいて、該ケーシングが座体と前蓋を包含することを特徴とする、共用磁石を具えたデュアル周波数同軸イヤホン。
【考案の詳細な説明】
【技術分野】
【０００１】
本考案は一種のイヤホンに係り、特に、共用磁石を具えたデュアル周波数同軸イヤホンに関する。
【背景技術】
【０００２】
図１は周知のイヤホンの断面図であり、図示されるように、周知のイヤホン９は、ケーシング９０、信号線９１、振動膜９２、永久磁石９３、ボイスコイル９４、導磁部品９５、及びヨーク９６を包含する。
【０００３】
図１に示されるように、信号線９１、振動膜９２、永久磁石９３、ボイスコイル９４、導磁部品９５、及びヨーク９６はケーシング９０内部に収容され、そのうちボイスコイル９４は振動膜９２上に組み付けられ並びに永久磁石９３の周囲に繞設されるほか、導磁部品９５と径方向に間隙を保持し、永久磁石９３は導磁部品９５とヨーク９６の間に設けられる。
【０００４】
該信号線９１とボイスコイル９４は電気的に接続され、音声信号が信号線９１を通りボイスコイル９４に入力されると、ボイスコイル９４は電磁効果により磁場を発生し、該磁場が更に導磁部品９５と磁力の交互作用を発生し、振動膜９２を振動させ、これにより音声信号を音波に変換し出力する。
【考案の開示】
【考案が解決しようとする課題】
【０００５】
周知の技術中、一般に音声信号はいずれも高周波、低周波部分を包含し、同一の振動膜９２上での振動は、高音音波信号、低音音波信号を同時に発生する。しかし、高音音波信号と低音音波信号は異なる波長と振幅の特性を有するため、ただ同一の振動膜９２によるだけでは異なる特性をはっきりと区画することはできず、高音音波信号と低音音波信号が相互にひずむという欠点を発生する。このため、音声をクリアに表現できない。また、高音、低音スピーカーを設置して、それぞれに高音、低音の音波信号を出力しなければならないならば、イヤホン体積は過大となり、既存のイヤホンサイズに不適合となる。
【課題を解決するための手段】
【０００６】
本考案は一種の共用磁石を具えたデュアル周波数同軸イヤホンを提供し、それは、ケーシング、外ヨーク、共用環形磁石、内ヨーク、低音音波部、及び高音音波部を包含する。
【０００７】
該ケーシング内に収容空間が設けられる。外ヨークはキャップ形を呈し、外ヨークはケーシングの収容空間内に組み付けられる。外ヨークはキャップ部、リム部を有し、リム部はキャップ部の外周縁に繞設され、キャップ部は上板及び環内壁を有する。該上板に中央孔が開設される。
【０００８】
本考案の共用環形磁石は外ヨークのキャップ部の上板内面に組み付けられ、これにより外ヨークが共用環形磁石の外接触面と同じ磁性を有し、共用環形磁石は外ヨークの中央孔と同軸上で対応する中心孔を有する。
【０００９】
内ヨークはフランジ状を呈し、内ヨークは内軸管と外周ディスクを具えている。外周ディスクは内軸管の外周縁に繞設され、外周ディスクにより内ヨークが共用環形磁石に組み付けられ並びに外ヨークの対向側に位置し、これにより内ヨークが共用環形磁石の内接触面と同じ磁性を有し、外周ディスクの外径は外ヨークの環内壁内径より小さく、内軸管は外ヨークの中央孔より小さく、内軸管が共用環形磁石の中心孔と外ヨークの中央孔に挿通され、内軸管の中央に中央穿孔が設けられて導音管とされる。
【００１０】
低音音波部は低周波ボイスコイル、及び低周波振動膜を包含する。そのうち、低周波振動膜は中央振動膜を包含する。低周波ボイスコイルは低周波振動膜に組み付けられ、並びに外ヨークの環内壁と内ヨークの外周ディスクの間に軸方向に延伸され、低周波ボイスコイルは環内壁と外周ディスクとの間に径方向の間隙を保持し、低周波振動膜の外周は外ヨークのリム部に組み付けられる。
【００１１】
高音音波部は高周波ボイスコイル、及び高周波振動膜を有し、高周波ボイスコイルは高周波振動膜に組み付けられ、並びに外ヨークの中央孔と内ヨークの内軸管の間に軸方向に延伸され、高周波ボイスコイルと中央孔、及び内軸管は別の径方向の間隙を保持する。高周波振動膜の外周は外ヨークのキャップ部上に組み付けられる。
【００１２】
低音音波部の内軸管は高音音波部と低音音波部の中央振動膜の間に連通する。
【００１３】
これにより、高音音波部の音波は内軸管を通り、低音音波部の中央振動膜をイネーブルし、低音音波部の音波と同相で同期する出力を形成し、ゆえに高音音波部と低音音波部の異なる音波信号が分離され、高音と低音の相互ひずみの問題を有効に解決し、またイヤホン体積の最小化を達成できる。
【００１４】
低音音波部は導音錐を具え、該導音錐は内ヨークの外周ディスクに固定され、導音錐の中央に導音孔が開設され、導音孔は内軸管の中央穿孔に同軸上で対応し並びに相互に連通し、高音音波部の高音音波を平均して低音音波部の中央振動膜の表面に分布させる。
【００１５】
このほか、本考案の共用磁石を具えたデュアル周波数同軸イヤホンは、回路板を包含し、該回路板は、周波数分割回路を包含し、該周波数分割回路は混合音声入力信号を分離して高周波出力信号と低周波出力信号となし、それぞれ高周波ボイスコイルと低周波ボイスコイルに提供する。
【００１６】
外ヨークは複数の気孔を包含し、該複数の気孔はリム部の周縁に開設され、外部空気を外ヨーク、低音音波部、及び高音音波部の形成する閉じた空間内に進入させ、空間内外の圧力を均衡させる。
【００１７】
低周波振動膜は内凹環、外凹環を包含する。高周波ボイスコイルは該内凹環に組み付けられ、外凹環は外ヨークのキャップ部に組み付けられ、低音音波部は固定環を包含し、高音音波部は別の固定環を包含し、固定環は外ヨークのリム部に組み付けられて、高周波振動膜を固定する。
【００１８】
本考案のデュアル周波数同軸イヤホンはさらに、イヤープラグ或いはイヤーカバーを包含するか、或いは各種のサイズの異なるイヤホンと組み合わせて運用可能である。本考案のイヤホンのケーシングは座体と前蓋を閉じ合わせて固定してなるか、或いは一体成形され得る。
【考案の効果】
【００１９】
本考案の共用磁石を具えたデュアル周波数同軸イヤホンによると、高音音波部の音波は内軸管を通り、低音音波部の中央振動膜をイネーブルし、低音音波部の音波と同相で同期する出力を形成し、ゆえに高音音波部と低音音波部の異なる音波信号が分離され、高音と低音の相互ひずみの問題を有効に解決し、またイヤホン体積の最小化を達成できる。
【考案を実施するための最良の形態】
【００２０】
図２、３を参照されたい。図２は本考案の第１の実施例の分解図、図３は本考案の第１実施例の詳細な分解図である。図示されるように、本考案の共用磁石を具えたデュアル周波数同軸イヤホンは、ケーシング５、外ヨーク１、低音音波部２、共用環形磁石２１、内ヨーク２２、高音音波部３、及び回路板４を包含する。
【００２１】
図２に示されるように、ケーシング５は座体５１及び前蓋５２を包含し、座体５１内に収容空間５０がある。図３に示されるように、回路板４は周波数分割回路４１を有する。該周波数分割回路４１は混合音声入力信号を分離して高周波出力信号と低周波出力信号となし、それぞれ高周波ボイスコイル３１と低周波ボイスコイル２３に提供する。
【００２２】
図２、３に示されるように、外ヨーク１、低音音波部２、及び高音音波部３は共同でケーシング５内に収容され、信号線６で周波数分割回路４１に電気的に接続されて、周波数分割回路４１に混合音声入力信号が提供される。
【００２３】
図２、３、４を参照されたい。図４は本考案の第１の実施例の断面図である。図示されるように、外ヨーク１はキャップ形を呈し、外ヨーク１はケーシング５の収容空間５０内に組み付けられ、外ヨーク１はキャップ部１１とリム部１２を包含する。リム部１２はキャップ部１１の外周縁に繞設され、外ヨーク１はリム部１２の外周縁によりケーシング５内部に組み付けられ、キャップ部１１は上板１１０及び環内壁１１２を包含し、上板１１０に中央孔１１１が開設されている。
【００２４】
このほか、外ヨーク１は更に、複数の気孔１１３を包含し、それは、リム部１２の周縁に開設され、気孔１１３を通して外部空気が外ヨーク１、低音音波部２、高音音波部３により形成される閉じた空間内に導入されて、空間の内外の圧力を均衡する。
【００２５】
図４に示されるように、共用環形磁石２１の外接触面２１１は外ヨーク１の上板１１０内面に密着し、これにより外ヨーク１は共用環形磁石２１の外接触面２１１と密着し同じ磁性を有し、例えば本実施例中、図４に示されるＳ極を有する。共用環形磁石２１は中心孔２１０を有し、該中心孔２１０は外ヨーク１の中央孔１１１と同軸上で対応する。
【００２６】
図３及び図４に示されるように、内ヨーク２２はフランジ状を呈し、内ヨーク２２は内軸管２２１、及び外周ディスク２２２を包含する。外周ディスク２２２は内軸管２２１の外周縁に繞設され、内ヨーク２２の外周ディスク２２２は共用環形磁石２１の外ヨーク１の対向側の内接触面２１２に密着し、即ち共用環形磁石２１は軸方向に、内ヨーク２２の外周ディスク２２２と外ヨーク１の上板１１０の間に組み付けられ、これにより、内ヨーク２２は共用環形磁石２１の内接触面２１２と密着し、同じ磁性を有し、例えば本実施例中、図４に示されるＮ極を有し、ゆえに、明らかに分かるように、外ヨーク１と内ヨーク２２の両者は異なる磁性を有する。
【００２７】
外周ディスク２２２の外径は外ヨーク１の環内壁１１２より小さく、内軸管２２１の外径は外ヨーク１の中央孔１１１内径より小さく、内軸管２２１は共用環形磁石２１の中心孔２１０と外ヨーク１の中央孔１１１に進入し、内軸管２２１の中央に中央穿孔２２０が設けられて導音管とされる。
【００２８】
低音音波部２は低周波ボイスコイル２３、低周波振動膜２４、導音錐２５、及び固定環２６を包含し、低周波振動膜２４は中央振動膜２４１を包含し、低周波ボイスコイル２３は低周波振動膜２４に組付けられて軸方向に外ヨーク１の環内壁１１２と内ヨーク２２の外周ディスク２２２の間に進入し、低周波ボイスコイル２３と環内壁１１２、及び外周ディスク２２２はいずれも径方向間隙を保持する。
【００２９】
図３、４に示されるように、低周波振動膜２４は内凹環２４３、及び外凹環２４４を包含し、低周波ボイスコイル２３は内凹環２４３部分に組み付けられ、外凹環２４４は外ヨーク１のリム部１２に組み付けられる。
【００３０】
低周波振動膜２４の外周は外ヨーク１のリム部１２に組み付けられ、固定環２６は外ヨーク１のリム部に組み付けられ、低周波振動膜２４を固定する。
【００３１】
導音錐２５は内ヨーク２２の外周ディスク２２２に組み付けられ、導音錐２５の中央に導音孔２５１が開設され、導音孔２５１は同軸上で内軸管２２１の中央穿孔２２０に対応し並びに相互に連通し、これにより高音音波部３の音波が平均して低音音波部２の中央振動膜２４１の表面上に分布する。
【００３２】
本実施例中、外ヨーク１は共用環形磁石２１のＳ極磁極とされ、内ヨーク２２は共用環形磁石２１のＮ極磁極とされ、低音音声信号が低周波ボイスコイル２３に入力される時、その発生する磁場が外ヨーク１の環内壁１１２、及び内ヨーク２２の外周ディスク２２２間のＳ−Ｎ極磁場と磁力の交互作用を発生し、更に低周波振動膜２４の振動により音波を発生する。高音音波部３は高周波ボイスコイル３１、及び高周波振動膜３２を包含し、高周波ボイスコイル３１は高周波振動膜３２に組付けられ、並びに外ヨーク１の中央孔１１１と内ヨーク２２の内軸管２２１の間に軸方向に組み付けられ、高周波ボイスコイル３１と中央孔１１１、及び内軸管２２１はいずれも別の径方向間隙を保持し、高周波振動膜３２の外周は外ヨーク１のキャップ部１１上に組み付けられる。
【００３３】
図３、４に示されるように、高周波振動膜３２は内凹環３２１、及び外凹環３２２を包含し、高周波ボイスコイル３１は内凹環３２１に組み付けられ、外凹環３２２は外ヨーク１のキャップ部１１上に組み付けられる。高音音波部３は更に別の固定環３３を包含し、この別の固定環３３は外ヨーク１のキャップ部１１上に組み付けられて、高周波振動膜３２を固定する。
【００３４】
本実施例中、高音音声信号が高周波ボイスコイル３１に入力される時、その発生する磁場は外ヨーク１の上板１１０、及び内ヨーク２２の内軸管２２１間のＳ−Ｎ極磁場と磁力の交互作用を発生し、さらに高周波振動膜３２の振動により音波を発生する。
【００３５】
図４に示されるように、低音音波部２の内軸管２２１は高音音波部３と低音音波部２の中央振動膜２４１の間に連通する。これにより、高音音波部３の高音音声信号は内軸管２２１を通り低音音波部２の中央振動膜２４１（図３に表示）をイネーブルし、低音音波部２の音波と同相で同期する出力を形成する。
【００３６】
本考案は高音音波部３と低音音波部２を有し、これにより、高音と低音の音波を分離し、有効に高音と低音の音波の相互ひずみの問題を解決し、更に本考案の同軸イヤホンの設計はイヤホンの体積を最小化する。
【００３７】
図５は本考案の第２の実施例の断面図である。図示されるように、この実施例は先の実施例の構造と大体同じであるが、異なるところは、ケーシング７がプラグ式イヤホンのケーシング７とされ、ゆえにイヤープラグ７１を包含し、イヤープラグ７１はケーシング７より径方向に延伸されている。
【００３８】
図６、７を参照されたい。図６は本考案の第３の実施例の立体図、図７は本考案の第３の実施例の断面図である。図示されるように、本実施例は第１の実施例の構造とほぼ同じであり、異なるところは、ケーシング８がフルカバー式イヤホンのケーシング８とされ、ゆえにイヤーカバー８１を包含し、イヤーカバー８１はケーシング８より軸方向に延伸される。
【図面の簡単な説明】
【００３９】
【図１】周知のイヤホンの断面図である。
【図２】本考案の第１の実施例の分解図である。
【図３】本考案の第１実施例の詳細な分解図である。
【図４】本考案の第１の実施例の断面図である。
【図５】本考案の第２の実施例の断面図である。
【図６】本考案の第３の実施例の立体図である。
【図７】本考案の第３の実施例の断面図である。
【符号の説明】
【００４０】
１  外ヨーク          １１  キャップ部              １１０  上板
１１１  中央孔        １１２  環内壁                １２  リム部
１１３  気孔          ２  低音音波部                ２１  共用環形磁石
２１０  中心孔        ２１１  外接触面              ２１２  内接触面
２２  内ヨーク        ２２０  中央穿孔
２２１  内軸管        ２２２  外周ディスク          ２３  低周波ボイスコイル
２４  低周波振動膜    ２４１  中央振動膜            ２４３  内凹環
２４４  外凹環        ２５  導音錐                  ２５１  導音孔
２６、３３  固定環    ３  高音音波部                ３１  高周波ボイスコイル
３２  高周波振動膜    ３２１  内凹環                ３２２  外凹環
４  回路板            ４１  周波数分割回路          ５、７、８  ケーシング
５０  収容空間        ５１  座体                    ５２  前蓋
６  信号線            ７１  イヤープラグ            ８１  イヤーカバー
９０  ケーシング      ９１  信号線                  ９２  振動膜
９３  永久磁石        ９４  ボイスコイル            ９５  導磁部品
９６  ヨーク
【図１】
0003147185.tif 000003
【図２】
0003147185.tif 000004
【図３】
0003147185.tif 000005
【図４】
0003147185.tif 000006
【図５】
0003147185.tif 000007
【図６】
0003147185.tif 000008
【図７】
0003147185.tif 000009